(57)【要約】      （修正有）【課題】使用者が絵の具パレットを洗う面倒がない絵の具ケースを提供する【解決手段】絵の具ケースは、ケース主体１２を含み、前記ケース主体の頂部端面にはカバー板４４がスライドできるように装着され、前記ケース主体の中には上方へ開口した絵の具チャンバ１３が設置され、前記絵の具チャンバの中には絵の具１１が置かれており、絵の具パレット２７を洗浄する時、絵の具パレットを前後の押し溝の間に置き、押しブロック４３を利用して絵の具パレットを固定し、取っ手３１を回転させることにより回転ロッド３２を連動させて回転させ、絵の具を絵の具チャンバの中に置き、ボタン１７により絵の具を送り出し、ケース主体を開ける時に絵の具が落ちることを防止し、また洗浄機構７０と水送り機構８０とが協働して絵の具パレットを洗浄することができる。【選択図】図１
2020175644.tif 000002
【特許請求の範囲】
【請求項１】
正面視で、ケース主体を含み、前記ケース主体の頂部端面にはカバー板がスライドできるように装着され、前記ケース主体の中には上方へ開口した絵の具チャンバが設置され、前記絵の具チャンバの中には絵の具が置かれており、前記絵の具チャンバの中には送り板がスライドできるように装着され、前記絵の具チャンバの下方には移動チャンバが連通するように設置され、前記移動チャンバの中には移動ブロックがスライドできるように装着され、前記移動ブロックが前記送り板と固定的に連結され、前記移動ブロックの底部端面と前記移動チャンバの底壁との間には第一バネが固定的に装着され、前記移動ブロックの中には左方へ開口したバネチャンバが設置され、前記バネチャンバの中には引っ掛かりブロックがスライドできるように装着され、前記引っ掛かりブロックの右側端面と前記バネチャンバの右側内壁との間には第二バネが固定的に装着され、前記移動チャンバの左側には推し動かし溝が連通するように設置され、前記推し動かし溝の中には推し動かしロッドがスライドできるように装着され、前記推し動かし溝は前記バネチャンバに連通することができ、前記推し動かし溝の左側にはボタンチャンバが連通するように設置され、前記ボタンチャンバの中にはボタンがスライドできるように装着され、前記ボタンが前記推し動かしロッドと固定的に連結され、前記ボタンの右側端面と前記ボタンチャンバの右側内壁との間には第三バネが固定的に装着され、前記絵の具を前記絵の具チャンバの中から取り出す時、前記ボタンを押して前記推し動かしロッドを連動させて右方へ移動させ、前記推し動かしロッドが前記引っ掛かりブロックを推し動かして右方へ移動させ、これにより前記移動ブロックが完全に前記バネチャンバの中に入り、そして前記移動ブロックが前記第一バネに押し動かされて上方へ移動し、前記送り板が前記絵の具を送り出し、前記絵の具チャンバの右側には洗浄機能を有する洗浄機構が設置され、前記洗浄機構の右側には水を前記洗浄機構に送り込むことができる水送り機構が設置され、前記水送り機構は、前記ケース主体の中に設置され、且つ上方へ開口した水溝を含み、前記水溝の下方には連結チャンバが連通するように設置され、前記連結チャンバの下方には水流入口が連通するように設置され、水が前記連結チャンバと前記水流入口を経由して前記洗浄機構に入り込むことを特徴とする絵の具ケース。
【請求項２】
前記洗浄機構は、前記ケース主体の右側に設置され、且つ上方へ開口した洗浄チャンバを含み、前記洗浄チャンバの前後両側には押しチャンバが対称的に連通するように設置され、前記押しチャンバの中には押しブロックがスライドできるように装着され、前記押しブロックの中には押し溝が設置され、前記押しブロックと前記押しチャンバとの間には第四バネが固定的に装着され、前後の前記押し溝の間に絵の具パレットが引っ掛かっており、前記洗浄チャンバの右側には回転チャンバが連通するように設置され、前記回転チャンバの中には洗浄綿が回転できるように装着され、前記洗浄綿の右側には前記ケース主体の右側端面を貫通している回転ロッドが回転できるように装着され、前記回転ロッドの右側端面には取っ手が固定的に装着され、前記水流入口が前記洗浄チャンバに連通され、前記洗浄チャンバの右側内壁には右方へ開口した水流出口が連通するように設置されていることを特徴とする請求項１に記載の絵の具ケース。
【請求項３】
前記水送り機構はまた、前記連結チャンバの両側に連通するように設置されたギヤチャンバを含み、左側の前記ギヤチャンバの前後内壁の間には補助ロッドが回転できるように装着され、右側の前記ギヤチャンバの前側には噛み合いチャンバが設置され、右側の前記ギヤチャンバの後側内壁には前記噛み合いチャンバの後側内壁を貫通している連結ロッドが回転できるように装着され、前記連結ロッドと前記補助ロッドには互いに噛み合っているギヤが固定的に装着され、前記噛み合いチャンバの下方には伝動チャンバが設置され、前記伝動チャンバと前記噛み合いチャンバとの間には伝動ロッドが回転できるように装着され、前記伝動ロッドの頂部端面には第一ベベルギヤが固定的に装着され、前記連結ロッドの前側端面には第二ベベルギヤが固定的に装着され、前記第二ベベルギヤが前記第一ベベルギヤと噛み合っており、前記伝動ロッドの底部端面には第三ベベルギヤが固定的に装着され、前記回転ロッドには第四ベベルギヤが固定的に装着され、前記第四ベベルギヤが前記第三ベベルギヤと噛み合っていることを特徴とする請求項１に記載の絵の具ケース。
【発明の詳細な説明】
【技術分野】
【０００１】
本発明は文具分野を取り上げて、具体的には絵の具ケースである。
【背景技術】
【０００２】
一般的な絵の具ケースは洗浄機能を有しなく、絵の具ケースを使用した後、使用者は絵の具ケースを洗浄する必要があり、いつも特定の場所に行って特定の工具を使って洗浄することができ、非常に不便であり、しかも一般的な絵の具ケースを開ける時、絵の具がよく落ちてき、絵の具をちゃんと絵の具ケースの中に置くことができない。
【先行技術文献】
【特許文献】
【０００３】
【特許文献１】中国特許出願公開第１０５５６４１３７号明細書
【発明の概要】
【発明が解決しようとする課題】
【０００４】
本発明は絵の具ケースを提供し、従来技術における上記欠点を解消することを目的とする。
【課題を解決するための手段】
【０００５】
本発明の実施例の絵の具ケースは、ケース主体を含み、前記ケース主体の頂部端面にはカバー板がスライドできるように装着され、前記ケース主体の中には上方へ開口した絵の具チャンバが設置され、前記絵の具チャンバの中には絵の具が置かれており、前記絵の具チャンバの中には送り板がスライドできるように装着され、前記絵の具チャンバの下方には移動チャンバが連通するように設置され、前記移動チャンバの中には移動ブロックがスライドできるように装着され、前記移動ブロックが前記送り板と固定的に連結され、前記移動ブロックの底部端面と前記移動チャンバの底壁との間には第一バネが固定的に装着され、前記移動ブロックの中には左方へ開口したバネチャンバが設置され、前記バネチャンバの中には引っ掛かりブロックがスライドできるように装着され、前記引っ掛かりブロックの右側端面と前記バネチャンバの右側内壁との間には第二バネが固定的に装着され、前記移動チャンバの左側には推し動かし溝が連通するように設置され、前記推し動かし溝の中には推し動かしロッドがスライドできるように装着され、前記推し動かし溝は前記バネチャンバに連通することができ、前記推し動かし溝の左側にはボタンチャンバが連通するように設置され、前記ボタンチャンバの中にはボタンがスライドできるように装着され、前記ボタンが前記推し動かしロッドと固定的に連結され、前記ボタンの右側端面と前記ボタンチャンバの右側内壁との間には第三バネが固定的に装着され、前記絵の具を前記絵の具チャンバの中から取り出す時、前記ボタンを押して前記推し動かしロッドを連動させて右方へ移動させ、前記推し動かしロッドが前記引っ掛かりブロックを推し動かして右方へ移動させ、これにより前記移動ブロックが完全に前記バネチャンバの中に入り、そして前記移動ブロックが前記第一バネに押し動かされて上方へ移動し、前記送り板が前記絵の具を送り出し、前記絵の具チャンバの右側には洗浄機能を有する洗浄機構が設置され、前記洗浄機構の右側には水を前記洗浄機構に送り込むことができる水送り機構が設置され、前記水送り機構は、前記ケース主体の中に設置され、且つ上方へ開口した水溝を含み、前記水溝の下方には連結チャンバが連通するように設置され、前記連結チャンバの下方には水流入口が連通するように設置され、水が前記連結チャンバと前記水流入口を経由して前記洗浄機構に入り込む。
【０００６】
更の技術プランとしては、前記洗浄機構は、前記ケース主体の右側に設置され、且つ上方へ開口した洗浄チャンバを含み、前記洗浄チャンバの前後両側には押しチャンバが対称的に連通するように設置され、前記押しチャンバの中には押しブロックがスライドできるように装着され、前記押しブロックの中には押し溝が設置され、前記押しブロックと前記押しチャンバとの間には第四バネが固定的に装着され、前後の前記押し溝の間に絵の具パレットが引っ掛かっており、前記洗浄チャンバの右側には回転チャンバが連通するように設置され、前記回転チャンバの中には洗浄綿が回転できるように装着され、前記洗浄綿の右側には前記ケース主体の右側端面を貫通している回転ロッドが回転できるように装着され、前記回転ロッドの右側端面には取っ手が固定的に装着され、前記水流入口が前記洗浄チャンバに連通され、前記洗浄チャンバの右側内壁には右方へ開口した水流出口が連通するように設置されている。
【０００７】
更の技術プランとしては、前記水送り機構はまた、前記連結チャンバの両側に連通するように設置されたギヤチャンバを含み、左側の前記ギヤチャンバの前後内壁の間には補助ロッドが回転できるように装着され、右側の前記ギヤチャンバの前側には噛み合いチャンバが設置され、右側の前記ギヤチャンバの後側内壁には前記噛み合いチャンバの後側内壁を貫通している連結ロッドが回転できるように装着され、前記連結ロッドと前記補助ロッドには互いに噛み合っているギヤが固定的に装着され、前記噛み合いチャンバの下方には伝動チャンバが設置され、前記伝動チャンバと前記噛み合いチャンバとの間には伝動ロッドが回転できるように装着され、前記伝動ロッドの頂部端面には第一ベベルギヤが固定的に装着され、前記連結ロッドの前側端面には第二ベベルギヤが固定的に装着され、前記第二ベベルギヤが前記第一ベベルギヤと噛み合っており、前記伝動ロッドの底部端面には第三ベベルギヤが固定的に装着され、前記回転ロッドには第四ベベルギヤが固定的に装着され、前記第四ベベルギヤが前記第三ベベルギヤと噛み合っている。
【発明の効果】
【０００８】
本発明の有益効果は：本発明は絵の具を絵の具チャンバの中に置き、ボタンにより絵の具を送り出し、ケース主体を開ける時に絵の具が落ちることを防止し、また洗浄機構と水送り機構とが協働して絵の具パレットを洗浄することができ、使用者が絵の具パレットを特定の場所まで持って行って特定の工具を使って絵の具パレットを洗う面倒はなく、普及する価値がある。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の構成模式図
【図２】図２は本発明の左側面の構成模式図
【図３】図３は図１のＡ−Ａ方向の断面構成模式図
【図４】図４は図１のＢ−Ｂ方向の断面構成模式図
【発明を実施するための形態】
【００１１】
図１〜４を参照し、本発明の実施例の絵の具ケースは、ケース主体１２を含み、前記ケース主体１２の頂部端面にはカバー板４４がスライドできるように装着され、前記ケース主体１２の中には上方へ開口した絵の具チャンバ１３が設置され、前記絵の具チャンバ１３の中には絵の具１１が置かれており、前記絵の具チャンバ１３の中には送り板１４がスライドできるように装着され、前記絵の具チャンバ１３の下方には移動チャンバ２３が連通するように設置され、前記移動チャンバ２３の中には移動ブロック２２がスライドできるように装着され、前記移動ブロック２２が前記送り板１４と固定的に連結され、前記移動ブロック２２の底部端面と前記移動チャンバ２３の底壁との間には第一バネ２４が固定的に装着され、前記移動ブロック２２の中には左方へ開口したバネチャンバ２５が設置され、前記バネチャンバ２５の中には引っ掛かりブロック２１がスライドできるように装着され、前記引っ掛かりブロック２１の右側端面と前記バネチャンバ２５の右側内壁との間には第二バネ２６が固定的に装着され、前記移動チャンバ２３の左側には推し動かし溝２０が連通するように設置され、前記推し動かし溝２０の中には推し動かしロッド１８がスライドできるように装着され、前記推し動かし溝２０は前記バネチャンバ２５に連通することができ、前記推し動かし溝２０の左側にはボタンチャンバ１６が連通するように設置され、前記ボタンチャンバ１６の中にはボタン１７がスライドできるように装着され、前記ボタン１７が前記推し動かしロッド１８と固定的に連結され、前記ボタン１７の右側端面と前記ボタンチャンバ１６の右側内壁との間には第三バネ１９が固定的に装着され、前記絵の具１１を前記絵の具チャンバ１３の中から取り出す時、前記ボタン１７を押して前記推し動かしロッド１８を連動させて右方へ移動させ、前記推し動かしロッド１８が前記引っ掛かりブロック２１を推し動かして右方へ移動させ、これにより前記移動ブロック２２が完全に前記バネチャンバ２５の中に入り、そして前記移動ブロック２２が前記第一バネ２４に押し動かされて上方へ移動し、前記送り板１４が前記絵の具１１を送り出し、前記絵の具チャンバ１３の右側には洗浄機能を有する洗浄機構７０が設置され、前記洗浄機構７０の右側には水を前記洗浄機構７０に送り込むことができる水送り機構８０が設置され、前記水送り機構８０は、前記ケース主体１２の中に設置され、且つ上方へ開口した水溝３９を含み、前記水溝３９の下方には連結チャンバ３８が連通するように設置され、前記連結チャンバ３８の下方には水流入口４１が連通するように設置され、水が前記連結チャンバ３８と前記水流入口４１を経由して前記洗浄機構７０に入り込む。
【００１２】
前記洗浄機構７０は、前記ケース主体１２の右側に設置され、且つ上方へ開口した洗浄チャンバ４２を含み、前記洗浄チャンバ４２の前後両側には押しチャンバ５０が対称的に連通するように設置され、前記押しチャンバ５０の中には押しブロック４３がスライドできるように装着され、前記押しブロック４３の中には押し溝５２が設置され、前記押しブロック４３と前記押しチャンバ５０との間には第四バネ５１が固定的に装着され、前後の前記押し溝５２の間に絵の具パレット２７が引っ掛かっており、前記洗浄チャンバ４２の右側には回転チャンバ３４が連通するように設置され、前記回転チャンバ３４の中には洗浄綿３５が回転できるように装着され、前記洗浄綿３５の右側には前記ケース主体１２の右側端面を貫通している回転ロッド３２が回転できるように装着され、前記回転ロッド３２の右側端面には取っ手３１が固定的に装着され、前記水流入口４１が前記洗浄チャンバ４２に連通され、前記洗浄チャンバ４２の右側内壁には右方へ開口した水流出口２８が連通するように設置され、これにより絵の具パレット２７を洗浄する時、絵の具パレット２７を前後の押し溝５２の間に置き、押しブロック４３を利用して絵の具パレット２７を固定し、取っ手３１を回転させることにより回転ロッド３２を連動させて回転させ、回転ロッド３２が回転して洗浄綿３５を連動させて回転させ、洗浄綿３５が絵の具パレット２７を洗浄する。
【００１３】
前記水送り機構８０はまた、前記連結チャンバ３８の両側に連通するように設置されたギヤチャンバ４５を含み、左側の前記ギヤチャンバ４５の前後内壁の間には補助ロッド３７が回転できるように装着され、右側の前記ギヤチャンバ４５の前側には噛み合いチャンバ４７が設置され、右側の前記ギヤチャンバ４５の後側内壁には前記噛み合いチャンバ４７の後側内壁を貫通している連結ロッド３６が回転できるように装着され、前記連結ロッド３６と前記補助ロッド３７には互いに噛み合っているギヤ４０が固定的に装着され、前記噛み合いチャンバ４７の下方には伝動チャンバ３０が設置され、前記伝動チャンバ３０と前記噛み合いチャンバ４７との間には伝動ロッド４９が回転できるように装着され、前記伝動ロッド４９の頂部端面には第一ベベルギヤ４８が固定的に装着され、前記連結ロッド３６の前側端面には第二ベベルギヤ４６が固定的に装着され、前記第二ベベルギヤ４６が前記第一ベベルギヤ４８と噛み合っており、前記伝動ロッド４９の底部端面には第三ベベルギヤ３３が固定的に装着され、前記回転ロッド３２には第四ベベルギヤ２９が固定的に装着され、前記第四ベベルギヤ２９が前記第三ベベルギヤ３３と噛み合っており、これにより絵の具パレット２７を洗浄する時、回転ロッド３２が回転して第四ベベルギヤ２９を連動させて回転させ、第四ベベルギヤ２９は第三ベベルギヤ３３との噛み合いにより伝動ロッド４９を連動させて回転させ、伝動ロッド４９が回転して第一ベベルギヤ４８を連動させて回転させ、第一ベベルギヤ４８は第二ベベルギヤ４６との噛み合いにより連結ロッド３６を連動させて回転させ、連結ロッド３６が回転することによりギヤ４０を回転させ、水を水溝３９から洗浄チャンバ４２の中に送り込む。
【００１４】
使用する時、前記絵の具１１を前記絵の具チャンバ１３の中から取り出す時、前記ボタン１７を押して前記推し動かしロッド１８を連動させて右方へ移動させ、前記推し動かしロッド１８が前記引っ掛かりブロック２１を推し動かして右方へ移動させ、これにより前記移動ブロック２２が完全に前記バネチャンバ２５の中に入り、そして前記移動ブロック２２が前記第一バネ２４に押し動かされて上方へ移動し、前記送り板１４が前記絵の具１１を送り出し、これにより絵の具パレット２７を洗浄する時、絵の具パレット２７を前後の押し溝５２の間に置き、押しブロック４３を利用して絵の具パレット２７を固定し、取っ手３１を回転させることにより回転ロッド３２を連動させて回転させ、回転ロッド３２が回転して洗浄綿３５を連動させて回転させ、回転ロッド３２が回転して第四ベベルギヤ２９を連動させて回転させ、第四ベベルギヤ２９は第三ベベルギヤ３３との噛み合いにより伝動ロッド４９を連動させて回転させ、伝動ロッド４９が回転して第一ベベルギヤ４８を連動させて回転させ、第一ベベルギヤ４８は第二ベベルギヤ４６との噛み合いにより連結ロッド３６を連動させて回転させ、連結ロッド３６が回転することによりギヤ４０を回転させ、水を水溝３９から洗浄チャンバ４２の中に送り込み、洗浄綿３５が絵の具パレット２７を洗浄する。
【００１５】
本発明の有益効果は：本発明は絵の具を絵の具チャンバの中に置き、ボタンにより絵の具を送り出し、ケース主体を開ける時に絵の具が落ちることを防止し、また洗浄機構と水送り機構とが協働して絵の具パレットを洗浄することができ、使用者が絵の具パレットを特定の場所まで持って行って特定の工具を使って絵の具パレットを洗う面倒はなく、普及する価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175644.tif 000003
【図２】
2020175644.tif 000004
【図３】
2020175644.tif 000005
【図４】
2020175644.tif 000006
【手続補正書】
【提出日】令和1年8月13日(2019.8.13)
【手続補正１】
【補正対象書類名】特許請求の範囲
【補正対象項目名】全文
【補正方法】変更
【補正の内容】
【特許請求の範囲】
【請求項１】
正面視で、ケース主体を含み、前記ケース主体の頂部端面にはカバー板がスライドできるように装着され、前記ケース主体の中には上方へ開口した絵の具チャンバが設置され、前記絵の具チャンバの中には絵の具が置かれており、前記絵の具チャンバの中には送り板がスライドできるように装着され、前記絵の具チャンバの下方には移動チャンバが連通するように設置され、前記移動チャンバの中には移動ブロックがスライドできるように装着され、前記移動ブロックが前記送り板と固定的に連結され、前記移動ブロックの底部端面と前記移動チャンバの底壁との間には第一バネが固定的に装着され、前記移動ブロックの中には左方へ開口したバネチャンバが設置され、前記バネチャンバの中には引っ掛かりブロックがスライドできるように装着され、前記引っ掛かりブロックの右側端面と前記バネチャンバの右側内壁との間には第二バネが固定的に装着され、前記移動チャンバの左側には推し動かし溝が連通するように設置され、前記推し動かし溝の中には推し動かしロッドがスライドできるように装着され、前記推し動かし溝は前記バネチャンバに連通することができ、前記推し動かし溝の左側にはボタンチャンバが連通するように設置され、前記ボタンチャンバの中にはボタンがスライドできるように装着され、前記ボタンが前記推し動かしロッドと固定的に連結され、前記ボタンの右側端面と前記ボタンチャンバの右側内壁との間には第三バネが固定的に装着され、前記絵の具を前記絵の具チャンバの中から取り出す時、前記ボタンを押して前記推し動かしロッドを連動させて右方へ移動させ、前記推し動かしロッドが前記引っ掛かりブロックを推し動かして右方へ移動させ、これにより前記移動ブロックが完全に前記バネチャンバの中に入り、そして前記移動ブロックが前記第一バネに押し動かされて上方へ移動し、前記送り板が前記絵の具を送り出し、前記絵の具チャンバの右側には洗浄機能を有する洗浄機構が設置され、前記洗浄機構の右側には水を前記洗浄機構に送り込むことができる水送り機構が設置され、前記水送り機構は、前記ケース主体の中に設置され、且つ上方へ開口した水溝を含み、前記水溝の下方には連結チャンバが連通するように設置され、前記連結チャンバの下方には水流入口が連通するように設置され、水が前記連結チャンバと前記水流入口を経由して前記洗浄機構に入り込むことを特徴とする絵の具ケース。
【請求項２】
前記洗浄機構は、前記ケース主体に設置され、且つ上方へ開口した洗浄チャンバを含み、前記洗浄チャンバの前後両側には押しチャンバが対称的に連通するように設置され、前記押しチャンバの中には押しブロックがスライドできるように装着され、前記押しブロックの中には押し溝が設置され、前記押しブロックと前記押しチャンバとの間には第四バネが固定的に装着され、前後の前記押し溝の間に絵の具パレットが引っ掛かっており、前記洗浄チャンバの右側には回転チャンバが連通するように設置され、前記回転チャンバの中には洗浄綿が回転できるように装着され、前記洗浄綿の右側には前記ケース主体の右側端面を貫通している回転ロッドが回転できるように装着され、前記回転ロッドの右側端面には取っ手が固定的に装着され、前記水流入口が前記洗浄チャンバに連通され、前記洗浄チャンバの右側内壁には右方へ開口した水流出口が連通するように設置されていることを特徴とする請求項１に記載の絵の具ケース。
【請求項３】
前記水送り機構は、前記連結チャンバの両側に連通するように設置されたギヤチャンバを含み、左側の前記ギヤチャンバの前後内壁の間には補助ロッドが回転できるように装着され、右側の前記ギヤチャンバの前側には噛み合いチャンバが設置され、右側の前記ギヤチャンバの後側内壁には前記噛み合いチャンバの後側内壁を貫通している連結ロッドが回転できるように装着され、前記連結ロッドと前記補助ロッドには互いに噛み合っているギヤが固定的に装着され、前記噛み合いチャンバの下方には伝動チャンバが設置され、前記伝動チャンバと前記噛み合いチャンバとの間には伝動ロッドが回転できるように装着され、前記伝動ロッドの頂部端面には第一ベベルギヤが固定的に装着され、前記連結ロッドの前側端面には第二ベベルギヤが固定的に装着され、前記第二ベベルギヤが前記第一ベベルギヤと噛み合っており、前記伝動ロッドの底部端面には第三ベベルギヤが固定的に装着され、前記回転ロッドには第四ベベルギヤが固定的に装着され、前記第四ベベルギヤが前記第三ベベルギヤと噛み合っていることを特徴とする請求項２に記載の絵の具ケース。
【手続補正２】
【補正対象書類名】明細書
【補正対象項目名】全文
【補正方法】変更
【補正の内容】
【発明の詳細な説明】
【技術分野】
【０００１】
本発明は文具分野を取り上げて、具体的には絵の具ケースである。
【背景技術】
【０００２】
一般的な絵の具ケースは洗浄機能を有しなく、絵の具ケースを使用した後、使用者は絵の具ケースを洗浄する必要があり、いつも特定の場所に行って特定の工具を使って洗浄することができ、非常に不便であり、しかも一般的な絵の具ケースを開ける時、絵の具がよく落ちてきて、絵の具をちゃんと絵の具ケースの中に置くことができない。
【先行技術文献】
【特許文献】
【０００３】
【特許文献１】中国特許出願公開第１０５５６４１３７号明細書
【発明の概要】
【発明が解決しようとする課題】
【０００４】
本発明は絵の具ケースを提供し、従来技術における上記欠点を解消することを目的とする。
【課題を解決するための手段】
【０００５】
本発明の実施例の絵の具ケースは、ケース主体を含み、前記ケース主体の頂部端面にはカバー板がスライドできるように装着され、前記ケース主体の中には上方へ開口した絵の具チャンバが設置され、前記絵の具チャンバの中には絵の具が置かれており、前記絵の具チャンバの中には送り板がスライドできるように装着され、前記絵の具チャンバの下方には移動チャンバが連通するように設置され、前記移動チャンバの中には移動ブロックがスライドできるように装着され、前記移動ブロックが前記送り板と固定的に連結され、前記移動ブロックの底部端面と前記移動チャンバの底壁との間には第一バネが固定的に装着され、前記移動ブロックの中には左方へ開口したバネチャンバが設置され、前記バネチャンバの中には引っ掛かりブロックがスライドできるように装着され、前記引っ掛かりブロックの右側端面と前記バネチャンバの右側内壁との間には第二バネが固定的に装着され、前記移動チャンバの左側には推し動かし溝が連通するように設置され、前記推し動かし溝の中には推し動かしロッドがスライドできるように装着され、前記推し動かし溝は前記バネチャンバに連通することができ、前記推し動かし溝の左側にはボタンチャンバが連通するように設置され、前記ボタンチャンバの中にはボタンがスライドできるように装着され、前記ボタンが前記推し動かしロッドと固定的に連結され、前記ボタンの右側端面と前記ボタンチャンバの右側内壁との間には第三バネが固定的に装着され、前記絵の具を前記絵の具チャンバの中から取り出す時、前記ボタンを押して前記推し動かしロッドを連動させて右方へ移動させ、前記推し動かしロッドが前記引っ掛かりブロックを推し動かして右方へ移動させ、これにより前記移動ブロックが完全に前記バネチャンバの中に入り、そして前記移動ブロックが前記第一バネに押し動かされて上方へ移動し、前記送り板が前記絵の具を送り出し、前記絵の具チャンバの右側には洗浄機能を有する洗浄機構が設置され、前記洗浄機構の右側には水を前記洗浄機構に送り込むことができる水送り機構が設置され、前記水送り機構は、前記ケース主体の中に設置され、且つ上方へ開口した水溝を含み、前記水溝の下方には連結チャンバが連通するように設置され、前記連結チャンバの下方には水流入口が連通するように設置され、水が前記連結チャンバと前記水流入口を経由して前記洗浄機構に入り込む。
【０００６】
更なる技術プランとしては、前記洗浄機構は、前記ケース主体に設置され、且つ上方へ開口した洗浄チャンバを含み、前記洗浄チャンバの前後両側には押しチャンバが対称的に連通するように設置され、前記押しチャンバの中には押しブロックがスライドできるように装着され、前記押しブロックの中には押し溝が設置され、前記押しブロックと前記押しチャンバとの間には第四バネが固定的に装着され、前後の前記押し溝の間に絵の具パレットが引っ掛かっており、前記洗浄チャンバの右側には回転チャンバが連通するように設置され、前記回転チャンバの中には洗浄綿が回転できるように装着され、前記洗浄綿の右側には前記ケース主体の右側端面を貫通している回転ロッドが回転できるように装着され、前記回転ロッドの右側端面には取っ手が固定的に装着され、前記水流入口が前記洗浄チャンバに連通され、前記洗浄チャンバの右側内壁には右方へ開口した水流出口が連通するように設置されている。
【０００７】
更なる技術プランとしては、前記水送り機構は、前記連結チャンバの両側に連通するように設置されたギヤチャンバを含み、左側の前記ギヤチャンバの前後内壁の間には補助ロッドが回転できるように装着され、右側の前記ギヤチャンバの前側には噛み合いチャンバが設置され、右側の前記ギヤチャンバの後側内壁には前記噛み合いチャンバの後側内壁を貫通している連結ロッドが回転できるように装着され、前記連結ロッドと前記補助ロッドには互いに噛み合っているギヤが固定的に装着され、前記噛み合いチャンバの下方には伝動チャンバが設置され、前記伝動チャンバと前記噛み合いチャンバとの間には伝動ロッドが回転できるように装着され、前記伝動ロッドの頂部端面には第一ベベルギヤが固定的に装着され、前記連結ロッドの前側端面には第二ベベルギヤが固定的に装着され、前記第二ベベルギヤが前記第一ベベルギヤと噛み合っており、前記伝動ロッドの底部端面には第三ベベルギヤが固定的に装着され、前記回転ロッドには第四ベベルギヤが固定的に装着され、前記第四ベベルギヤが前記第三ベベルギヤと噛み合っている。
【発明の効果】
【０００８】
本発明の有益効果は：本発明は絵の具を絵の具チャンバの中に置き、ボタンにより絵の具を送り出し、ケース主体を開ける時に絵の具が落ちることを防止し、また洗浄機構と水送り機構とが協働して絵の具パレットを洗浄することができ、使用者が絵の具パレットを特定の場所まで持って行って特定の工具を使って絵の具パレットを洗う面倒はなく、普及する価値がある。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の構成模式図
【図２】図２は本発明の左側面の構成模式図
【図３】図３は図１のＡ−Ａ方向の断面構成模式図
【図４】図４は図１のＢ−Ｂ方向の断面構成模式図
【発明を実施するための形態】
【００１１】
図１〜４を参照し、本発明の実施例の絵の具ケースは、ケース主体１２を含み、前記ケース主体１２の頂部端面にはカバー板４４がスライドできるように装着され、前記ケース主体１２の中には上方へ開口した絵の具チャンバ１３が設置され、前記絵の具チャンバ１３の中には絵の具１１が置かれており、前記絵の具チャンバ１３の中には送り板１４がスライドできるように装着され、前記絵の具チャンバ１３の下方には移動チャンバ２３が連通するように設置され、前記移動チャンバ２３の中には移動ブロック２２がスライドできるように装着され、前記移動ブロック２２が前記送り板１４と固定的に連結され、前記移動ブロック２２の底部端面と前記移動チャンバ２３の底壁との間には第一バネ２４が固定的に装着され、前記移動ブロック２２の中には左方へ開口したバネチャンバ２５が設置され、前記バネチャンバ２５の中には引っ掛かりブロック２１がスライドできるように装着され、前記引っ掛かりブロック２１の右側端面と前記バネチャンバ２５の右側内壁との間には第二バネ２６が固定的に装着され、前記移動チャンバ２３の左側には推し動かし溝２０が連通するように設置され、前記推し動かし溝２０の中には推し動かしロッド１８がスライドできるように装着され、前記推し動かし溝２０は前記バネチャンバ２５に連通することができ、前記推し動かし溝２０の左側にはボタンチャンバ１６が連通するように設置され、前記ボタンチャンバ１６の中にはボタン１７がスライドできるように装着され、前記ボタン１７が前記推し動かしロッド１８と固定的に連結され、前記ボタン１７の右側端面と前記ボタンチャンバ１６の右側内壁との間には第三バネ１９が固定的に装着され、前記絵の具１１を前記絵の具チャンバ１３の中から取り出す時、前記ボタン１７を押して前記推し動かしロッド１８を連動させて右方へ移動させ、前記推し動かしロッド１８が前記引っ掛かりブロック２１を推し動かして右方へ移動させ、これにより前記移動ブロック２２が完全に前記バネチャンバ２５の中に入り、そして前記移動ブロック２２が前記第一バネ２４に押し動かされて上方へ移動し、前記送り板１４が前記絵の具１１を送り出し、前記絵の具チャンバ１３の右側には洗浄機能を有する洗浄機構７０が設置され、前記洗浄機構７０の右側には水を前記洗浄機構７０に送り込むことができる水送り機構８０が設置され、前記水送り機構８０は、前記ケース主体１２の中に設置され、且つ上方へ開口した水溝３９を含み、前記水溝３９の下方には連結チャンバ３８が連通するように設置され、前記連結チャンバ３８の下方には水流入口４１が連通するように設置され、水が前記連結チャンバ３８と前記水流入口４１を経由して前記洗浄機構７０に入り込む。
【００１２】
前記洗浄機構７０は、前記ケース主体１２に設置され、且つ上方へ開口した洗浄チャンバ４２を含み、前記洗浄チャンバ４２の前後両側には押しチャンバ５０が対称的に連通するように設置され、前記押しチャンバ５０の中には押しブロック４３がスライドできるように装着され、前記押しブロック４３の中には押し溝５２が設置され、前記押しブロック４３と前記押しチャンバ５０との間には第四バネ５１が固定的に装着され、前後の前記押し溝５２の間に絵の具パレット２７が引っ掛かっており、前記洗浄チャンバ４２の右側には回転チャンバ３４が連通するように設置され、前記回転チャンバ３４の中には洗浄綿３５が回転できるように装着され、前記洗浄綿３５の右側には前記ケース主体１２の右側端面を貫通している回転ロッド３２が回転できるように装着され、前記回転ロッド３２の右側端面には取っ手３１が固定的に装着され、前記水流入口４１が前記洗浄チャンバ４２に連通され、前記洗浄チャンバ４２の右側内壁には右方へ開口した水流出口２８が連通するように設置され、これにより絵の具パレット２７を洗浄する時、絵の具パレット２７を前後の押し溝５２の間に置き、押しブロック４３を利用して絵の具パレット２７を固定し、取っ手３１を回転させることにより回転ロッド３２を連動させて回転させ、回転ロッド３２が回転して洗浄綿３５を連動させて回転させ、洗浄綿３５が絵の具パレット２７を洗浄する。
【００１３】
前記水送り機構８０は、前記連結チャンバ３８の両側に連通するように設置されたギヤチャンバ４５を含み、左側の前記ギヤチャンバ４５の前後内壁の間には補助ロッド３７が回転できるように装着され、右側の前記ギヤチャンバ４５の前側には噛み合いチャンバ４７が設置され、右側の前記ギヤチャンバ４５の後側内壁には前記噛み合いチャンバ４７の後側内壁を貫通している連結ロッド３６が回転できるように装着され、前記連結ロッド３６と前記補助ロッド３７には互いに噛み合っているギヤ４０が固定的に装着され、前記噛み合いチャンバ４７の下方には伝動チャンバ３０が設置され、前記伝動チャンバ３０と前記噛み合いチャンバ４７との間には伝動ロッド４９が回転できるように装着され、前記伝動ロッド４９の頂部端面には第一ベベルギヤ４８が固定的に装着され、前記連結ロッド３６の前側端面には第二ベベルギヤ４６が固定的に装着され、前記第二ベベルギヤ４６が前記第一ベベルギヤ４８と噛み合っており、前記伝動ロッド４９の底部端面には第三ベベルギヤ３３が固定的に装着され、前記回転ロッド３２には第四ベベルギヤ２９が固定的に装着され、前記第四ベベルギヤ２９が前記第三ベベルギヤ３３と噛み合っており、これにより絵の具パレット２７を洗浄する時、回転ロッド３２が回転して第四ベベルギヤ２９を連動させて回転させ、第四ベベルギヤ２９は第三ベベルギヤ３３との噛み合いにより伝動ロッド４９を連動させて回転させ、伝動ロッド４９が回転して第一ベベルギヤ４８を連動させて回転させ、第一ベベルギヤ４８は第二ベベルギヤ４６との噛み合いにより連結ロッド３６を連動させて回転させ、連結ロッド３６が回転することによりギヤ４０を回転させ、水を水溝３９から洗浄チャンバ４２の中に送り込む。
【００１４】
使用する時、前記絵の具１１を前記絵の具チャンバ１３の中から取り出す時、前記ボタン１７を押して前記推し動かしロッド１８を連動させて右方へ移動させ、前記推し動かしロッド１８が前記引っ掛かりブロック２１を推し動かして右方へ移動させ、これにより前記移動ブロック２２が完全に前記バネチャンバ２５の中に入り、そして前記移動ブロック２２が前記第一バネ２４に押し動かされて上方へ移動し、前記送り板１４が前記絵の具１１を送り出す。絵の具パレット２７を洗浄する時、絵の具パレット２７を前後の押し溝５２の間に置き、押しブロック４３を利用して絵の具パレット２７を固定し、取っ手３１を回転させることにより回転ロッド３２を連動させて回転させ、回転ロッド３２が回転して洗浄綿３５を連動させて回転させ、回転ロッド３２が回転して第四ベベルギヤ２９を連動させて回転させ、第四ベベルギヤ２９は第三ベベルギヤ３３との噛み合いにより伝動ロッド４９を連動させて回転させ、伝動ロッド４９が回転して第一ベベルギヤ４８を連動させて回転させ、第一ベベルギヤ４８は第二ベベルギヤ４６との噛み合いにより連結ロッド３６を連動させて回転させ、連結ロッド３６が回転することによりギヤ４０を回転させ、水を水溝３９から洗浄チャンバ４２の中に送り込み、洗浄綿３５が絵の具パレット２７を洗浄する。
【００１５】
本発明の有益効果は：本発明は絵の具を絵の具チャンバの中に置き、ボタンにより絵の具を送り出し、ケース主体を開ける時に絵の具が落ちることを防止し、また洗浄機構と水送り機構とが協働して絵の具パレットを洗浄することができ、使用者が絵の具パレットを特定の場所まで持って行って特定の工具を使って絵の具パレットを洗う面倒はなく、普及する価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。